(57)【要約】      （修正有）【課題】表裏面に補強用の樹脂板が設けられていない軽量な風呂蓋が、浴槽内の高温にさらされた状態で撓んでも、補強部材が剥れるのを防止する風呂蓋を提供する。【解決手段】風呂蓋１０は、撓み性及び断熱性を有する発泡樹脂製芯材１１１を有する本体部１１と、突き合わせ部の側面にホットメルト系接着剤によって接着する方法として、突き合わせ部が湾曲するのを抑制する補強部材１５と、を備え、本体部１１は、突き合わせ部の側面に、風呂蓋の表面及び裏面に対して水平な溝１１１ａを有し、補強部材１５は、本体部１１の側面に沿って配設される補強部１５ａと、補強部１５ａから本体部１１に向けて延びるリブ１５ｂと、を有し、溝１１１ａにリブ１５ｂを挿入して、突き合わせ部の側面及び溝１１１ａと補強部材１５の補強部１５ａ及びリブ１５ｂとをホットメルト系接着剤Ｈによって接着する。【選択図】図２
2015159915.tif 000002
【特許請求の範囲】
【請求項１】
風呂蓋の周縁部に、浴槽のリムに載せられる載置部と、他の風呂蓋の端部と突き合わせて浴槽を覆う突き合わせ部と、が設けられた風呂蓋であって、
前記風呂蓋は、
撓み性及び断熱性を有する発泡樹脂製芯材を有する本体部と、
前記突き合わせ部の側面にホットメルト系接着剤によって接着されて、前記突き合わせ部が湾曲するのを抑制する補強部材と、
を備え、
前記本体部は、前記突き合わせ部の側面に、前記風呂蓋の表面及び裏面に対して水平な溝を有し、
前記補強部材は、
前記本体部の側面に沿って配設される補強部と、前記補強部から前記本体部に向けて延びるリブと、を有し、
前記本体部の溝に前記補強部材のリブを挿入して、前記本体部の突き合わせ部の側面及び溝と前記補強部材の補強部及びリブとを前記ホットメルト系接着剤によって接着したことを特徴とする風呂蓋。
【請求項２】
前記溝は、前記突き合わせ部の側面における、前記本体部の厚み方向の中央部に設けられたことを特徴とする請求項１記載の風呂蓋。
【請求項３】
前記本体部及び補強部材の側面から、前記本体部の表面及び裏面の周縁部までの領域を覆うように装着されるモールを備えたことを特徴とする請求項２記載の風呂蓋。
【発明の詳細な説明】
【技術分野】
【０００１】
本発明は、浴槽のリムに載置して浴槽に蓋をする風呂蓋に関する。
【背景技術】
【０００２】
特許文献１に記載された平板状の風呂蓋は、保温性を高めるために熱で反りにくくなっており、主として、発泡樹脂等の断熱素材からなる芯材と、芯材の表裏面を被覆するポリプロピレン系化粧板と、芯材と化粧板の間に挟まれる延伸オレフィン系樹脂シートと、芯材の周囲を被覆する縁材とから構成されている。この風呂蓋では、芯材の表裏面にポリプロピレン系化粧板及び延伸オレフィン系樹脂シートを配設することによって、風呂蓋を軽量化しつつ、風呂蓋が撓むのを抑制している。
【０００３】
ところが、樹脂板及び延伸オレフィン系樹脂シートを表面と裏面に設けるので、風呂蓋の重量は従来よりも軽くなったとはいえども、力の弱い高齢者などが片手で風呂蓋を楽に持ち上げることはできなかった。
【先行技術文献】
【特許文献】
【０００４】
【特許文献１】特開２００６−１３０２４３号公報
【発明の概要】
【発明が解決しようとする課題】
【０００５】
そこで、本出願人は、風呂蓋の表裏面に風呂蓋の撓みを抑制する樹脂板を設ける代わりに、浴槽に載置されない風呂蓋の周縁部となる突き合わせ部の側面のみに補強部材を設けることによって、風呂蓋の撓みを抑制しつつ風呂蓋をさらに軽量化することができる、との知見を得た。
この補強部材を風呂蓋の芯材の側面に接着するには、生産性を考慮した場合、瞬間接着性を有するホットメルト系接着剤を用いるのが好ましい。
【０００６】
ところが、ホットメルト系接着剤は、高温になると軟化して接着力が低下する性質を有している。そのため、風呂を沸かして浴槽内が高温になりすぎると、風呂蓋の浴槽を向く面（裏面）側において、ホットメルト系接着剤が軟化してしまい接着力が低下してしまう。その状態で、風呂蓋上に重量物を置いたり人が乗って荷重をかけると、補強部材がありながらも突き合わせ部は撓んでしまう。すると、補強部材のうち接着力が低下した風呂蓋の裏面側部分が剥れてしまい、風呂蓋が破損してしまう。
【０００７】
本発明は、表裏面に補強用の樹脂板が設けられていない軽量な風呂蓋が、浴槽内の高温にさらされた状態で撓んでも、風呂蓋の突き合わせ部にホットメルト系接着剤によって接着された補強部材が剥れるのを防止することを目的とする。
【課題を解決するための手段】
【０００８】
本発明は、上記した課題を解決するために成されたものであって、風呂蓋の周縁部に、浴槽のリムに載せられる載置部と、他の風呂蓋の端部と突き合わせて浴槽を覆う突き合わせ部と、が設けられた風呂蓋であって、前記風呂蓋は、撓み性及び断熱性を有する発泡樹脂製芯材を有する本体部と、前記突き合わせ部の側面にホットメルト系接着剤によって接着されて、前記突き合わせ部が湾曲するのを抑制する補強部材と、を備え、前記本体部は、前記突き合わせ部の側面に、前記風呂蓋の表面及び裏面に対して水平な溝を有し、前記補強部材は、前記本体部の側面に沿って配設される補強部と、前記補強部から前記本体部に向けて延びるリブと、を有し、前記本体部の溝に前記補強部材のリブを挿入して、前記本体部の突き合わせ部の側面及び溝と前記補強部材の補強部及びリブとを前記ホットメルト系接着剤によって接着したことを特徴とする。
【０００９】
これによれば、風呂蓋の表裏面に補強板などを設置して撓みを抑制する代わりに、風呂蓋の突き合わせ部に湾曲抑制の補強部材を設けたことにより、これまでにない軽量な風呂蓋としながらも、風呂蓋の突き合わせ部の撓みを抑制することができ、安全性の高い風呂蓋を提供することができる。
【００１０】
また、風呂蓋で浴槽に蓋をした状態で風呂を沸かすと、浴槽内部が高温になり、風呂蓋の表面と裏面の間で温度差が生じる。浴槽内の温度が高くなりすぎた状態で、風呂蓋の突き合わせ部に上から荷重が加わって、補強部材がありながらも撓んでしまうと、風呂蓋の裏面側ではホットメルト系接着剤が軟化して接着力が低下しているので、補強部材が本体部から剥離してしまう。しかし、本発明では、断熱性を有する芯材によって風呂蓋の裏面よりも温度の上昇が抑えられている溝の内部で補強部材のリブを接着しているため、補強部材の剥離が防止される。これにより、長期にわたって補強部材の剥れを防止することができる軽量な風呂蓋を提供することが可能となる。
【００１１】
また、前記溝は、前記突き合わせ部の側面における、前記本体部の厚み方向の中央部に設けられるのが好ましい。
【００１２】
これによれば、溝が厚み方向の中央部に設けられたので、溝に注入されたホットメルト系接着剤が、溝にリブを挿入することによって溝からあふれ出た時に、本体部の表面側と裏面側に均等にあふれ出る。そのあふれ出たホットメルト系接着剤によって本体部の側面と補強部材の側面とを接着することができる。
【００１３】
また、前記本体部及び補強部材の側面から、前記本体部の表面及び裏面の周縁部までの領域を覆うように装着されるモールを備えることも好ましい。
【００１４】
これによれば、補強部材からホットメルト系接着剤が多少はみ出したとしても、モールで覆われるので、はみ出した接着剤を取り除く必要がなく、製造の手間を削減することができる。
【発明の効果】
【００１５】
本発明によれば、表裏面に補強用の樹脂板が設けられていない軽量な風呂蓋が、浴槽内の高温にさらされた状態で撓んでも、風呂蓋の突き合わせ部にホットメルト系接着剤によって接着された補強部材が剥れるのを防止することが可能となる。
【図面の簡単な説明】
【００１６】
【図１】本発明の実施形態にかかる風呂蓋の斜視図である。
【図２】本発明の実施形態にかかる風呂蓋の断面図である。
【図３】本発明の実施形態にかかる風呂蓋の突き合わせ部を示す断面図である。
【発明を実施するための形態】
【００１７】
以下、本発明の実施の形態を、図面に基づいて説明する。
【００１８】
本実施形態の風呂蓋１０は、上方からみたときの平面視において略四角形状に形成され、その周縁部に、浴槽２０のリムに載せられる載置部１０Ａと、もう一つの風呂蓋の端部と突き合わせることによって浴槽２０を密閉状に覆う突き合わせ部１０Ｂと、を有している。そして、２枚で一組となって浴槽の長手方向に並べて配置されて浴槽２０の開口を塞ぎ、浴槽内に貯留された湯の熱が外へ逃げることを防いでいる。
【００１９】
風呂蓋１０は、本体部１１と、本体部１１の周囲を覆う縁材１８と、突き合わせ部１０Ｂにおいて本体部１１と縁材１８との間に設けられる補強部材１５と、を備えている。
【００２０】
本体部１１は、板状の芯材１１１と、芯材１１１の表裏面を被覆する表面シート１１５と、芯材１１１の表裏面と表面シート１１５との間に設けられる延伸シート１１３と、を有する。
【００２１】
芯材２１は、外力を加えると弾性変形する発泡樹脂からなり、撓み性及び断熱性を有する。芯材２１は、例えば、JIS K6767で規定された測定方法によって算出された圧縮永久ひずみが２０％以下であり、さらに撓み性を有する。圧縮永久ひずみは、材料に荷重を負荷した後、その荷重を除去したときに材料に残ったひずみである。
【００２２】
圧縮永久ひずみが２０％以下、且つ、撓み性を有する芯材とするために用いる発泡樹脂として、例えば、発泡ポリプロピレン、発泡ポリエチレン、軟質発泡ウレタン、発泡ＥＶＡ（Ethylene-Vinyl Acetate）、ポリプロピレンやポリエチレンからなるハイブリット発泡材、発泡ポリ塩化ビニル、エラストマー発泡体、ゴム発泡体などが挙げられる。本実施形態では、例えば、厚さが２０ｍｍのビーズ発泡させた発泡ポリプロピレン（ＥＰＰ）を芯材２１として使っている。
【００２３】
また、芯材１１１は、突き合わせ部１０Ｂ側の側面に、芯材１１１の表裏面（本体部１１の表裏面）と平行な溝１１１ａが形成されている。この溝１１１ａは、芯材１１１の側面にスリット状に形成され、溝１１１ａの両面は、芯材１１１の表裏面と平行となる。また、好ましくは、溝１１１ａは、芯材１１１の側面の厚み方向の中央部に設けられる。
【００２４】
表面シート１１５は、芯材１１１よりも薄く、例えば、厚さが０．２５ｍｍのオレフィン系樹脂のシートからなる。表面シート１１５は、外力を加えると弾性変形する弾性を有する。
【００２５】
延伸シート１１３は、芯材１１１及び表面シート１１５よりも薄く、例えば０．１５μｍである。延伸シート１１３は、表面シート１１５の線膨張係数よりも小さい線膨張係数を有し、例えば、ポリプロピレンやポリエチレンの繊維クロスである。
【００２６】
延伸シート１１３は、芯材１１１の表裏面に接着剤や熱融着により接着され、芯材１１１の表裏面に密着している。また、表面シート１１５は、延伸シート１１３の表面に接着剤により接着され、延伸シート１１３の表面に密着している。
【００２７】
補強部材１５は、帯板状に形成され、突き合わせ部１０Ｂの側面（周囲面）に沿って配設されて、突き合わせ部１０Ｂの長手方向の端から端まで連続して設けられている。この補強部材１５は、突き合わせ部１０Ｂどうしを突き合わせて浴槽リムの上に載置された風呂蓋１０の本体部１１に上方から垂直荷重がかかった際に、突き合わせ部１０Ｂの撓みを抑制し、一方の風呂蓋１０の突き合わせ部１０Ｂと他方の風呂蓋１０の突き合わせ部１０Ｂとが鉛直方向に離間することで発生する鉛直方向の隙間の発生を抑制する。
【００２８】
この補強部材１５は、芯材１１１の側面に沿って配設される帯板状の補強部１５ａと、補強部１５から芯材１１１に向けて延びるリブ１５ｂと、を有している。
リブ１５ｂは、芯材１１１に形成された溝１１１ａよりもやや細く且つやや短く形成されている。
補強部材１５は、いずれも芯材１１１に対してホットメルト系接着剤Ｈによって接着されている。これは、接着時間を短縮して製造工程における待ち時間を短くするためである。
【００２９】
なお、ホットメルト系接着剤Ｈは、溝１１１ａの内部においても補強部材１５を芯材１１１に接着している。すなわち、補強部材１５は、芯材１１１の溝１１１ａに補強部材１５のリブ１５ｂを挿入し、芯材１１１の突き合わせ部１０Ｂ側の側面及び溝１１１ｂと、補強部材１５の補強部１５ａの側面及びリブ１５ｂとをホットメルト系接着剤Ｈによって接着している。
【００３０】
この補強部材１５は、高い剛性を有しており、例えば、硬質の樹脂、ガラス強化樹脂、金属などからなる。軽量性の点からは、補強部材１５は、樹脂が好ましい。
【００３１】
縁材１８は、突き合わせ部１０Ｂ以外の３辺の側面を覆う第一モール１８１と、突き合わせ部１０Ｂの側面を覆う第二モール１８２と、を備えており、第一モール１８１、第二モール１８２ともに芯材１１１に対して接着されている。
この第１モール１８１及び第二モール１８２は、浴槽内と浴室の温度差によって本体部１１を反らそうとする応力に対して、本体部１１よりも大きな曲げ強さを発揮して、浴槽１０のリムの上に載置される本体部１１の周縁部が反らないように本体部１１を補強している。
【００３２】
第一モール１８１は、軟質樹脂製の保護部１８１ａと、保護部１８１ａよりも硬質の硬質樹脂製の補強部１８１ｂとを有する。
【００３３】
補強部１８１ｂは、例えば、ポリプロピレン、ポリエチレンなどのオレフィン系樹脂からなる。保護部１８１ａは、例えば、オレフィン系エラストマーからなる。
【００３４】
保護部１８１ａは、本体部１１の側面から本体部１１の表裏面の外縁部にわたる領域を連続して覆っている。すなわち、保護部１８１ａは、本体部１１の表裏面と側面とがなす角部を覆っている。
【００３５】
第二モール１８２は、補強部材１５の表面（本体部１１の突き合わせ面に対して平行な面）から、本体部１１の表裏面の外縁部にわたる領域を連続して覆っている。すなわち、第二モール１８２は、本体部１１の表裏面と、補強部材１５の本体部１１の突き合わせ面に対して平行な面とがなす角部を覆っている。なお、第二モール１８２において本体部１１の表裏面の外縁部に被る部位は、第一モール１８１のそれよりも長く形成されている。
【００３６】
第二モール１８２は、硬質の樹脂（例えば、ポリプロピレン、ポリエチレンなど）、あるいは軟質の樹脂（例えば、オレフィン系エラストマーなどの熱可塑性エラストマー）からなる。
【００３７】
このような構成を有する風呂蓋１０は、その表面に垂直荷重が加わっても、補強部材１５の剛性が働くことにより、風呂蓋１０の撓みが抑制される。しかし、風呂蓋１０の撓みをなくすことはできないので、風呂蓋１０の撓みによって、芯材１１１と補強部材１５との間には、両者を接着しているホットメルト系接着剤Ｈが剥がれようとする力が働くことになる。ホットメルト系接着剤Ｈの接着力が働いている状態であれば、この風呂蓋１０の撓んでも補強部材１５が剥れることはない。しかし、浴槽２０内に高温の湯がある場合では、風呂蓋１０で浴槽２０を密閉しているので、風呂蓋１０の裏面のみ、温度がホットメルト系接着剤Ｈが軟化する程度に高温になることがある。すると、風呂蓋１０の裏面側においてホットメルト系接着剤Ｈの接着力が低下してしまう。補強部材１５を、リブ１５ｂを備えない単純な帯板状とした場合には、板状の補強部材１５を芯材１１１の側面に接着するだけの構造となるので、接着力が低下したホットメルト系接着剤Ｈは芯材１１１と補強部材１５とが接着された状態を維持することができず、風呂蓋１０の撓みによって補強部材１５が芯材１１１から剥れてしまう。
【００３８】
しかし、本実施形態の風呂蓋では、芯材１１１の側面に形成した溝１１１ａにホットメルト系接着剤Ｈを充填させている。この溝１１１ａは、周りが断熱性を有する芯材１１１に囲まれているので、浴槽内の熱が伝わりにくく、ホットメルト系接着剤Ｈが軟化することはない。そのため、風呂蓋１０の裏面（浴槽側の面）側で、ホットメルト系接着剤Ｈが軟化した状態で風呂蓋１０が撓んだとしても、補強部材１５が芯材１１１から剥れるのを防止することができる。また、溝１１１ａは、その両面が芯材１１１の表裏面と平行となるようにスリット状に設けられているので、風呂蓋１０が撓んだときに、補強部材１５が溝１１１ａから外れる力もかかりにくい。そのため、補強部材１５が芯材１１１から剥れるのを、より一層防止することができる。
【００３９】
本実施形態における風呂蓋１０は、従来の風呂蓋のように、本体部１１の表裏面を覆う、本体部１１と同じサイズの補強用の樹脂板は設けられていない。そのため、風呂蓋１０は、片手でも持ち上げることが可能な程度に軽量化され、取り扱いに優れている。同時に、風呂蓋１０の突き合わせ部１０Ｂの撓みを抑制することができ、安全性の高い風呂蓋１０を提供することができる。
【００４０】
また、風呂蓋１０で浴槽２０に蓋をした状態で風呂を沸かすと、浴槽内部が高温になり、風呂蓋１０の表面と裏面の間で温度差が生じる。浴槽内の温度が高くなりすぎた状態で、風呂蓋１０の突き合わせ部１０Ｂに上から荷重が加わって、補強部材１５がありながらも撓んでしまうと、風呂蓋１０の裏面側ではホットメルト系接着剤Ｈが軟化して接着力が低下しているので補強部材１５が本体部１１から剥がれてしまう。しかし、本実施形態の風呂蓋１０では、断熱性を有する芯材１１１によって風呂蓋１０の裏面よりも温度の上昇が抑えられている溝１１１ａの内部で補強部材１５のリブ１５ｂを接着しているため、補強部材１５の剥れが防止される。これにより、長期にわたって補強部材１５の剥れを防止することができる軽量な風呂蓋１０を提供することが可能となる。
【００４１】
また、溝１１１ａが厚み方向の中央部に設けられたので、溝１１１ａに注入されたホットメルト系接着剤Ｈが、溝１１１ａにリブ１５ｂを挿入することによって溝１１１ａからあふれ出た時に、本体部１１の表面側と裏面側に均等にあふれ出る。そのあふれ出たホットメルト系接着剤Ｈによって本体部１１の側面と補強部材１５の側面とを接着することができる。また、溝１１１ａを厚み方向の中央部に設けたので、風呂蓋１０の裏を浴槽側にして使用しても、表を浴槽側にして使用しても、溝１１１ａの温度は同じになるので、風呂蓋１０をひっくり返して使用することが可能である。
【００４２】
さらに、補強部材１５からホットメルト系接着剤Ｈが多少はみ出したとしても、第二モール１８２で覆われるので、はみ出した接着剤を取り除く必要がなく、製造の手間を削減することができる。
【００４３】
また、芯材２１は、圧縮永久ひずみが２０％以下かつ撓み性を有しており、垂直荷重に対する撓みが許容されるよう構成されている。また、表面シート２３及び延伸シート２２も、外力を加えると、芯材２１に追随して弾性変形する弾性を有する。すなわち、通常の使用中に風呂蓋１２にかかる程度の外力に対しては塑性変形や破壊することがなく、弾性変形するにとどまる。このため、芯材２１は外力によって一時的に変形しても、すぐに元に戻り、風呂蓋１２が局部的に凹んだままとなったり、大きく変形することがない。
【００４４】
また、延伸シート２２は、延伸素材を高い温度領域で延伸させた上で常温に戻している為、表面材シート２３よりも線膨張係数が低く、湯の熱など発生するバイメタルによる反りを抑制する。また、延伸シート２２は、引張り強度、曲げ弾性率も高く、比較的薄くても剛性を高めることができる。
【符号の説明】
【００４５】
１０    ：  風呂蓋
１０Ａ  ：  載置部
１０Ｂ  ：  突き合わせ部
１１    ：  本体部
１１１  ：  芯材
１１１ａ：  溝
１５    ：  補強部材
１５ａ  ：  補強部
１５ｂ  ：  リブ
１８１  ：  第一モール（縁材）
１８２  ：  第二モール（縁材）
２０    ：  浴槽
Ｈ      ：  ホットメルト系接着剤
【図１】
2015159915.tif 000003
【図２】
2015159915.tif 000004
【図３】
2015159915.tif 000005